(57)【要約】【課題】露光搬送速度を不必要に遅くすることを防止して、処理能力を向上させる。【解決手段】ペーパーＰのペーパー長さが露光位置Ｚから現像処理部Ｅまでの搬送経路長Ｌよりも短い場合には、現像処理部ＥにおけるペーパーＰの搬送速度よりも速い所定の第１露光搬送速度Ｖ１でペーパーＰを搬送しながら画像を露光形成する第１の露光モードに露光部Ｃを設定する一方、ペーパーＰのペーパー長さが搬送経路長Ｌよりも長い場合には、現像処理部ＥにおけるペーパーＰの搬送速度と同じ第２露光搬送速度Ｖ２でペーパーＰを搬送しながら画像を露光形成する第２の露光モードに露光部Ｃを設定する。【選択図】図８
2007133259.tif 000002
【特許請求の範囲】
【請求項１】
光を出力すると共に該光を所定の露光位置で主走査させる露光エンジンと、感光材料を主走査方向と直交する副走査方向に搬送する露光搬送部とを有して、該副走査方向に搬送されて該露光位置を通過する感光材料に画像を露光形成する露光部と、該露光部よりも感光材料の搬送方向下流側に設けられて感光材料の現像処理を行う現像処理部とを備えた画像記録装置であって、
前記露光部は、
感光材料の副走査方向長さが前記露光位置から前記現像処理部までの搬送経路長よりも短い場合には、前記現像処理部における感光材料の搬送速度よりも速い所定の第１露光搬送速度で感光材料を搬送しながら画像を露光形成する第１の露光モードとし、
感光材料の副走査方向長さが前記露光位置から前記現像処理部までの搬送経路長よりも長い場合には、前記現像処理部における感光材料の搬送速度と同じ第２露光搬送速度で感光材料を搬送しながら画像を露光形成する第２の露光モードとすることを特徴とする画像記録装置。
【請求項２】
光を出力すると共に該光を所定の露光位置で主走査させる露光エンジンと、感光材料を主走査方向と直交する副走査方向に搬送する露光搬送部とを有して、該副走査方向に搬送されて該露光位置を通過する感光材料に画像を露光形成する露光部と、該露光部よりも感光材料の搬送方向下流側に設けられて感光材料の現像処理を行う現像処理部とを備えた画像記録装置であって、
前記露光部は、
前記露光位置から下流側に搬送された感光材料の搬送長さが前記露光位置から前記現像処理部までの搬送経路長よりも短いときには、前記現像処理部における感光材料の搬送速度よりも速い所定の第１露光搬送速度で感光材料を搬送しながら画像を露光形成する第１の露光モードとし、
前記露光位置から下流側に搬送された感光材料の搬送長さが前記露光位置から前記現像処理部までの搬送経路長よりも長いときには、前記現像処理部における感光材料の搬送速度と同じ第２露光搬送速度で感光材料を搬送しながら画像を露光形成する第２の露光モードとすることを特徴とする画像記録装置。
【請求項３】
請求項１又は２に記載の画像記録装置において、
前記露光部で露光処理された感光材料を複数列に振り分けて、前記現像処理部まで搬送する振り分けユニットをさらに備え、
感光材料の副走査方向長さが前記露光位置から前記現像処理部までの搬送経路長よりも短い感光材料を露光するときには、
前記振り分けユニットは、前記露光部で露光処理が完了した感光材料を複数列に振り分け、
前記現像処理部は、前記振り分けユニットによって複数列に振り分けられた感光材料を複数列のまま現像処理することを特徴とする画像記録装置。
【請求項４】
請求項１乃至３の何れか１つに記載の画像記録装置において、
複数の感光材料を連続して露光処理する際は、
感光材料の副走査方向長さが前記露光位置から前記現像処理部までの搬送経路長よりも長いときには、次の感光材料を前記第２の露光モードで露光処理することを特徴とする画像記録装置。
【請求項５】
請求項１乃至４の何れか１つに記載の画像記録装置において、
前記露光エンジンは、光源と、複数のミラー面を有すると共に回動可能に支持され、該光源から出力された光を偏向して該光を上記露光位置で主走査させるポリゴンミラーとを有し、
前記ポリゴンミラーの前記複数のミラー面のうち露光処理に使用するミラー面数を変更する使用面数変更手段をさらに備え、
前記使用面数変更手段は、
前記第１の露光モードでは、露光処理に使用するミラー面数を前記複数のミラー面のうち全て又は所定数に設定する一方、
前記第２の露光モードでは、露光処理に使用するミラー面数を前記第１の露光モード時よりも間引いて設定することを特徴とする画像記録装置。
【発明の詳細な説明】
【技術分野】
【０００１】
本発明は、画像記録装置に関するものであり、特に、ペーパー長さによっては１枚の感光材料について露光処理と現像処理とを同時に行う使用態様がある画像記録装置に関する。
【背景技術】
【０００２】
従来より、感光材料に対して主走査方向にレーザー光を走査することによって感光材料に画像を露光形成する露光部と、該露光部によって露光処理された感光材料に現像処理を施す現像処理部とを備えた画像記録装置が知られている（特許文献１参照）。この画像記録装置では、感光材料のペーパー長さ（副走査方向長さ）が長い場合には、１枚の感光材料について下流側部分は現像処理を行い、同時に上流側部分では露光処理を行っている。
【０００３】
この現像処理部における現像処理は、感光材料を薬品に浸して化学反応を起こすことによって行われ、十分な化学反応を起こさせるためには、感光材料を各種薬品に予め決められた時間だけ浸す必要がある。また、画像記録装置が大型化することは好ましくないため、現像処理部における感光材料の搬送経路長を長くすべく、薬品が収容された各容器の容積をあまり大きくすることはできない。つまり、現像処理部では、感光材料及び各種薬品の性質等や現像処理部のサイズに基づいて、十分な化学反応を起こさせるための適切な感光材料の搬送速度が決まっており、この現像処理部における感光材料の搬送速度（以下、現像搬送速度という）はあまり速くすることはできない。
【０００４】
そこで、前記特許文献１に係る画像記録装置では、露光部における感光材料の搬送速度（以下、露光搬送速度という）を現像搬送速度と同じ搬送速度にして、露光処理を行うようにしている。こうして、同一の感光材料の異なる部分で露光処理と現像処理とが同時に行われる場合であっても、感光材料や各種薬品が十分化学反応して、適切な現像処理が行われるようにしている。
【特許文献１】特開２０００−３０５０２８号公報
【発明の開示】
【発明が解決しようとする課題】
【０００５】
しかしながら、上述のように、現像搬送速度と露光搬送速度とを合わせる必要があるのは、１枚の感光材料において現像処理と露光処理とが同時に行われる場合だけである。つまり、１枚の感光材料において現像処理と露光処理とが同時に行われない場合には、露光搬送速度を現像搬送速度に合わせて遅くする必要はない。かかる場合にまで、露光搬送速度まで遅くすることは、かえって処理能力の低下となる。
【０００６】
本発明は、かかる点に鑑みてなされたものであり、その目的とするところは、露光搬送速度を不必要に遅くすることを防止して、処理能力を向上させることにある。
【課題を解決するための手段】
【０００７】
本発明は、露光搬送速度を現像搬送速度に合わせる必要がないときには、相対的に速い搬送速度で感光材料を搬送しながら露光処理を行うようにしたものである。
【０００８】
具体的には、第１の発明は、光を出力すると共に該光を所定の露光位置で主走査させる露光エンジンと、感光材料を主走査方向と直交する副走査方向に搬送する露光搬送部とを有して、該副走査方向に搬送されて該露光位置を通過する感光材料に画像を露光形成する露光部と、該露光部よりも感光材料の搬送方向下流側に設けられて感光材料の現像処理を行う現像処理部とを備えた画像記録装置を対象とする。
【０００９】
そして、前記露光部は、感光材料の副走査方向長さが前記露光位置から前記現像処理部までの搬送経路長よりも短い場合には、前記現像処理部における感光材料の搬送速度よりも速い所定の第１露光搬送速度で感光材料を搬送しながら画像を露光形成する第１の露光モードとし、感光材料の副走査方向長さが前記露光位置から前記現像処理部までの搬送経路長よりも長い場合には、前記現像処理部における感光材料の搬送速度と同じ第２露光搬送速度で感光材料を搬送しながら画像を露光形成する第２の露光モードとするものとする。
【００１０】
前記の構成の場合、前記露光部は、感光材料の副走査方向長さに基づいて、露光搬送速度を変更する。感光材料の副走査方向長さが前記露光位置から前記現像処理部までの搬送経路長よりも短い場合、すなわち、１つの感光材料において露光処理が完了した下流側部分は前記現像処理部内で現像処理されつつ、同時に上流側部分は前記露光部で露光処理されるという同時処理状態が生じ得ない長さの場合は、現像搬送速度よりも速い第１露光搬送速度で感光材料を搬送させる第１の露光モードに露光部を設定することによって処理能力を向上させることができる。一方、感光材料の副走査方向長さが前記露光位置から前記現像処理部までの搬送経路長よりも長い場合、すなわち、上述の同時処理状態が生じ得る長さの場合は、現像搬送速度と同じ第２露光搬送速度で感光材料を搬送させる第２の露光モードに露光部を設定することによって、同時処理状態となっても感光材料は第２露光搬送速度で搬送されているため、露光処理を行いつつ、同時に適切な現像処理を行うことができる。
【００１１】
第２の発明は、光を出力すると共に該光を所定の露光位置で主走査させる露光エンジンと、感光材料を主走査方向と直交する副走査方向に搬送する露光搬送部とを有して、該副走査方向に搬送されて該露光位置を通過する感光材料に画像を露光形成する露光部と、該露光部よりも感光材料の搬送方向下流側に設けられて感光材料の現像処理を行う現像処理部とを備えた画像記録装置が対象である。
【００１２】
そして、前記露光部は、前記露光位置から下流側に搬送された感光材料の搬送長さが前記露光位置から前記現像処理部までの搬送経路長よりも短いときには、前記現像処理部における感光材料の搬送速度よりも速い所定の第１露光搬送速度で感光材料を搬送しながら画像を露光形成する第１の露光モードとし、前記露光位置から下流側に搬送された感光材料の搬送長さが前記露光位置から前記現像処理部までの搬送経路長よりも長いときには、前記現像処理部における感光材料の搬送速度と同じ第２露光搬送速度で感光材料を搬送しながら画像を露光形成する第２の露光モードとするものとする。
【００１３】
前記の構成の場合、前記露光部は、前記露光位置から下流側に搬送された感光材料の搬送長さに基づいて、露光搬送速度を変更している。具体的には、前記露光位置から下流側に搬送された感光材料の搬送長さが前記露光位置から前記現像処理部までの搬送経路長よりも短いとき、すなわち、１つの感光材料の露光形成中において露光処理が完了した下流側部分が前記現像処理部内に搬送されない間は、前記第１の露光モードで露光形成を行うことによって、処理能力を向上させることができる。一方、前記露光位置から下流側に搬送された感光材料の搬送長さが前記露光位置から前記現像処理部までの搬送経路長よりも長いとき、すなわち、１つの感光材料において露光形成が完了した下流側部分が前記現像処理部内で現像処理されつつ、上流側部分が露光部で露光処理されるという同時処理状態のときには、前記第２の露光モードで露光形成を行うことによって、露光処理を行いつつ、同時に適切な現像処理を行うことができる。
【００１４】
かかる構成においては、副走査方向長さが前記露光位置から前記現像処理部までの搬送経路長よりも短い感光材料は、第１の露光モードで処理されることになり、処理能力を向上させることができる。
【００１５】
一方、副走査方向長さが前記露光位置から前記現像処理部までの搬送経路長よりも長い感光材料については、前記露光位置から下流側に搬送された感光材料の搬送長さが、該露光位置から前記現像処理部までの搬送経路長よりも短い間は前記第１の露光モードとする一方、該搬送経路長よりも長いときに前記第２の露光モードとすることによって、前記同時処理状態でない場合には、処理能力を可及的に向上させることができると共に、前記同時処理状態では、露光処理と現像処理を適切に行うことができる。
【００１６】
第３の発明は、第１又は第２の発明において、前記露光部で露光処理された感光材料を複数列に振り分けて、前記現像処理部まで搬送する振り分けユニットをさらに備え、感光材料の副走査方向長さが前記露光位置から前記現像処理部までの搬送経路長よりも短い感光材料を露光するときには、前記振り分けユニットは、前記露光部で露光処理が完了した感光材料を複数列に振り分け、前記現像処理部は、前記振り分けユニットによって複数列に振り分けられた感光材料を複数列のまま現像処理するものとする。
【００１７】
前記の構成の場合、感光材料の副走査方向長さが前記露光位置から前記現像処理部までの搬送経路長よりも短い感光材料については、相対的に速い第１露光搬送速度で露光部を搬送されるが、現像処理部においては結局、相対的に遅い第２露光搬送速度で搬送される。そこで、前記振り分けユニットによって、露光部において速い搬送速度で処理された感光材料を複数列にして、複数列のまま現像処理部で現像処理することによって、露光部において第１露光搬送速度で搬送することで向上させた処理能力を維持したまま現像処理を行うことができる。
【００１８】
また、複数の前記短い感光材料を連続して露光処理する際には、露光処理されている感光材料は相対的に速い第１露光搬送速度で搬送され、露光処理が完了した感光材料は相対的に遅い第２露光搬送速度で搬送されるため、前記露光部と現像処理部との間で、露光処理後の感光材料と、露光処理中の感光材料とが干渉したり、重なったりする虞がある。そこで、振り分けユニットによって、露光処理が完了した感光材料を複数列に振り分けることによって、上述の露光処理後の感光材料と露光処理中の感光材料とが干渉したり、重なったりすることを防止することができる。
【００１９】
第４の発明は、第１〜第３の何れか１つの発明において、複数の感光材料を連続して露光処理する際は、感光材料の副走査方向長さが前記露光位置から前記現像処理部までの搬送経路長よりも長いときには、次の感光材料を前記第２の露光モードで露光処理するものとする。
【００２０】
前記の構成であって、特に第３の発明を採用する場合は、感光材料の副走査方向長さが前記露光位置から前記現像処理部までの搬送経路長よりも短い感光材料は、露光処理完了後、前記振り分けユニットによって複数列に振り分けられているが、副走査方向長さが前記露光位置から前記現像処理部までの搬送経路長よりも長い感光材料は、露光処理完了後、前記振り分けユニットによって振り分けられることなく、第２露光搬送速度で現像処理部内へ搬送されている。そのため、複数の感光材料を連続して露光処理する場合であって、副走査方向長さが前記露光位置から前記現像処理部までの搬送経路長よりも長い感光材料を露光処理した後に続けて露光処理するときには、第１露光搬送速度で感光材料を搬送しながら露光処理を行うと、露光処理後の感光材料の下流側端部が、先に露光処理を完了した感光材料と、露光部と現像処理部との間で干渉したり、重なったりする虞がある。そこで、感光材料の副走査方向長さが前記露光位置から前記現像処理部までの搬送経路長よりも長いときには、次の感光材料を副走査方向長さや前記露光位置から下流側に搬送された感光材料の搬送長さに拘わらず、第２の露光モードで露光処理することによって、連続して露光処理される感光材料同士が干渉したり、重なったりすることを防止することができる。
【００２１】
尚、第１又は第２の発明を採用する場合であっても、感光材料の副走査方向長さが前記露光位置から前記現像処理部までの搬送経路長よりも長いときには、露光部と現像処理部との間を露光処理完了後の感光材料が第２搬送速度で搬送されているため、次の感光材料を副走査方向長さや前記露光位置から下流側に搬送された感光材料の搬送長さに拘わらず、第２の露光モードで露光処理することによって、連続して露光処理される感光材料同士が干渉したり、重なったりすることを防止することができる。
【００２２】
第５の発明は、第１〜第４の何れか１つの発明において、前記露光エンジンは、光源と、複数のミラー面を有すると共に回動可能に支持され、該光源から出力された光を偏向して該光を上記露光位置で主走査させるポリゴンミラーとを有し、前記ポリゴンミラーの前記複数のミラー面のうち露光処理に使用するミラー面数を変更する使用面数変更手段をさらに備え、前記使用面数変更手段は、前記第１の露光モードでは、露光処理に使用するミラー面数を前記複数のミラー面のうち全て又は所定数に設定する一方、前記第２の露光モードでは、露光処理に使用するミラー面数を前記第１の露光モード時よりも間引いて設定するものとする。
【００２３】
前記の構成の場合、露光部における感光材料の搬送速度が変更されるの対応して、前記ポリゴンミラーによって副走査方向へ１ラインずつ順次形成されていく画像の形成速度も変更することができるため、形成される画像が副走査方向へ圧縮したり膨張したりすることを防止することができる。
【００２４】
また、ポリゴンミラーは、ある程度の回転速度以上で回転する方が動作が安定する。特に、ポリゴンミラーが空気軸受で支持されているときにはポリゴンミラーの回転速度が重要となる。しかるに、前記の構成であれば、ポリゴンミラーの回転速度を低下させることなく、画像の形成速度も変更することができるため、ポリゴンミラーの動作安定性を損なうことを防止しつつ、副走査方向への画像の形成速度を変更することができる。
【発明の効果】
【００２５】
本発明によれば、露光処理と現像処理とが同時に行われないときには感光材料を相対的に速い第１露光搬送速度で搬送しながら露光処理を行うことで処理能力を向上させることができ、露光処理と現像処理とが同時に行われる又は同時に行われる可能性がある感光材料については、現像処理部における感光材料の搬送速度と同じ第２露光搬送速度で搬送しながら露光処理することによって、露光処理を行いつつ同時に適切な現像処理を行うことができる。
【発明を実施するための最良の形態】
【００２６】
以下、本発明の実施形態を図面に基づいて詳細に説明する。
【００２７】
《発明の実施形態１》
図１は、本発明に係る画像記録装置Ａを備えた写真処理システムの構成を示す部分断面図である。この図１に示す写真処理システムは、画像データを取得し、この画像データに基づいて感光材料としてのペーパーＰの乳剤面に画像を焼付露光し、写真プリントを作成する機能を備えている。この写真処理システムは、現像済みの写真フィルムに形成されているコマ画像をスキャニングし、画像データを取得するためのフィルムスキャナー(図示省略)や、デジタルカメラ用の記憶メディアや、その他の記録媒体に格納されている画像データを読み取るためのメディア読取部（図示省略）を備えている。
【００２８】
前記画像記録装置Ａは、２つのペーパーマガジン３、３と、このペーパーマガジン３、３からペーパーＰを搬送する露光前搬送部Ｂと、この露光前搬送部Ｂから搬送されてくるペーパーＰに対して画像露光を行う露光部Ｃと、この露光部Ｃで画像が露光形成されたペーパーＰを搬送する露光後搬送部Ｄと、この露光後搬送部Ｄから搬送されてくるペーパーＰの現像処理を行う現像処理部Ｅと、画像記録装置Ａの動作を制御するコントローラ１５と、オペレータがデータ入力や指示を行うためのキーボードやマウス等及びＧＵＩ（Graphical User Interface）やオペレータへのメッセージ等を表示するディスプレイからなる入出力ユニット１６とを備えている。これらペーパーマガジン３、３、露光前搬送部Ｂ、露光部Ｃ、露光後搬送部Ｄ、現像処理部Ｅ及びコントローラ１５は遮光された筐体Ｆ内に配設され、入出力ユニット１６は筐体Ｆ上に配設されている。
【００２９】
前記ペーパーマガジン３，３には、それぞれ、長尺のペーパーがロール状に巻かれたロールＲとして収容されており、該ペーパーマガジン３，３は、筐体Ｆ内に着脱可能に取り付けられている。そして、該画像記録装置Ａ本体に取り付けられた２台のペーパーマガジン３，３のうち、一方のペーパーマガジン３がプリントサイズ等に応じて選択され、該選択された方のペーパーマガジン３から引き出されたペーパーＰは、アドバンスローラユニット４により方向変換され、ペーパーカッター５により、所定のペーパー長さに切断される。そして、切断されたペーパーＰは、搬送ユニット６によって、下流側に位置する露光部Ｃへと搬送される。尚、本明細書においては、ペーパー長さとは、ペーパーＰの紙面に沿った搬送方向への長さを意味し、ペーパーＰの副走査方向長さと同義である。また、ペーパー幅とは、ペーパーＰの紙面に沿った搬送方向と直交する方向についての長さを意味する。
【００３０】
前記露光部Ｃには、レーザー光を露光する露光エンジン７と、露光中のペーパーＰを搬送する露光搬送部としての露光搬送ローラ９が設けられている。露光搬送ローラ９は上流側の上流側露光搬送ローラ９ａと下流側の下流側露光搬送ローラ９ｂとを有しており、これらの露光搬送ローラ９ａ，９ｂの間には、ペーパーＰをレーザー光によって露光処理するための露光位置Ｚが設定されている。この露光搬送ローラ９は、回転速度を変更することによってペーパーＰの搬送速度を変更可能に構成されていて、具体的には、ペーパーＰの搬送速度を所定の第１露光搬送速度Ｖ１と、第１露光搬送速度Ｖ１よりも遅く且つ後述する現像搬送速度と同じ第２露光搬送速度Ｖ２とに切替可能に構成されている。露光搬送ローラ９の上流側には、ペーパー検出センサー１０が設けられており、ペーパーＰが送り込まれてくると、その先端（前端）部分を検出して信号を出力するようになっている。このペーパー検出センサー１０は、赤外光を出力する発光素子と、これを受光する受光素子とにより構成される。このペーパー検出センサー１０によってペーパーＰの位置を検出することで、前記露光位置Ｚにおける露光開始タイミングを決めることができる。
【００３１】
前記露光エンジン７は、公知の構造からなるもので、レーザー光源（レーザーダイオード等）から出力されるレーザー光を画像データに基づいて光変調し、この光変調されたレーザー光をペーパーＰに照射することで、画像露光を行う。画像露光を行う際には、ペーパーＰは、露光搬送ローラ９ａ，９ｂにより挟持された状態で、第１露光搬送速度Ｖ１又は第２露光搬送速度Ｖ２の何れかの速度（一定速度）で搬送される。
【００３２】
前記露光後搬送部Ｄは、前記露光部Ｃで露光処理され、下流側露光搬送ローラ９ｂから搬送されるペーパーＰを受け取って、現像処理部Ｅまで搬送する。
【００３３】
前記現像処理部Ｅは、現像液、定着液、漂白液及び安定化液を収容する複数のタンク１２０を有しており、タンク１２０内を仕切板１２１でいくつかの区画に仕切っている。図示のタンク１２０は１つの区画のみを示しているが、図示のタンクと同様の構成からなる他の区画が続いている。画像が露光形成されたペーパーＰが現像処理部Ｅ中を搬送されると、潜像が現像され、ペーパーＰの感光面上に画像が形成される。ペーパーＰは、現像処理部Ｅに貯蔵された現像液などの薬品と化学反応を起こすことによって現像処理される。鮮明な画像を得るためには、ペーパーＰを薬品に一定時間浸す必要がある。そのため、現像処理部ＥにおけるペーパーＰの搬送速度は所定の現像搬送速度に設定されている。現像されたペーパーＰは、図示省略の乾燥ユニットにより乾燥される。
【００３４】
＜露光エンジンの構成＞
以下に前記露光エンジン７について、さらに詳しく説明する。
【００３５】
露光エンジン７は、図２に示すように、ペーパーＰの搬送方向である副走査方向（矢印Ｘ方向：図１参照）と直交する主走査方向（矢印Ｙ方向）にレーザー光を走査してペーパーＰに画像を露光形成するレーザー露光式に構成される。この実施形態では、露光エンジン７が露光系を構成する。
【００３６】
露光エンジン７は、遮光された筐体Ｆ内の適所に内蔵された３原色用の３つのレーザー光源７０Ｒ，７０Ｇ及び７０Ｂを有する。レーザー光源７０Ｒは、たとえば波長６８０ｎｍのＲ（赤色）のレーザー光を射出する半導体レーザ（ＬＤ）で構成される。レーザー光源７０Ｇは、半導体レーザと、この半導体レーザから射出されたレーザー光をたとえば波長５３２ｎｍのＧ（緑色）のレーザー光に変換する第２高調波発生器（ＳＨＧ）とで構成される。レーザー光源７０Ｂは、半導体レーザと、この半導体レーザから射出されたレーザー光をたとえば波長４７３ｎｍのＢ（青色）のレーザー光に変換する第２高調波発生器（ＳＨＧ）とで構成される。
【００３７】
レーザー光源７０Ｒ，７０Ｇおよび７０Ｂの出力側には、レーザー光の強度を調整（変調）するためのＡＯＭ（音響光学素子）７２Ｒ，７２Ｇおよび７２Ｂが対応して配設されるとともに、ミラー７４Ｒ，７４Ｇおよび７４Ｂ、ミラー７４Ｒ，７４Ｇおよび７４Ｂからのレーザー光を反射する反射ミラー７６、ならびに反射ミラー７６からのレーザー光を所定範囲で主走査方向Ｙに走査するポリゴンミラー７８が順に配置される。
【００３８】
ＡＯＭ７２Ｒ，７２Ｇおよび７２Ｂはそれぞれ、レーザー光源７０Ｒ，７０Ｇおよび７０Ｂから与えられた一定の強度のレーザー光を０〜１００％の範囲で調整する。具体的には、後述するＨＤＤ１５ｂに格納されたルックアップテーブルのデータに基づいてレーザー光を調整する。
【００３９】
ミラー７４Ｒは全反射ミラーであり、ミラー７４Ｇおよび７４Ｂはハーフミラーである。ＡＯＭ７２Ｒから射出されるレーザー光は、ミラー７４Ｒで全反射され、ミラー７４ＧでＡＯＭ７２Ｇから射出されるレーザー光と合波された後、さらにミラー７４ＢでＡＯＭ７２Ｂから射出されるレーザー光と合波されることにより、３色のレーザー光が合成される。合成されたレーザー光は、反射ミラー７６によって反射され、ポリゴンミラー７８に入射する。
【００４０】
ポリゴンミラー７８は、空気軸受によって回動自在に支持されていて、一定の角速度で矢印Ｚ方向に回転することによって、入射したレーザー光を副走査方向Ｘに搬送されるペーパーＰに対して主走査方向Ｙに走査する。空気軸受は、低回転速度では安定性が悪いため、所定の回転速度以上に設定されている。
【００４１】
また、ポリゴンミラー７８とペーパーＰとの間には、ポリゴンミラー７８の回転によって走査されるレーザー光のペーパーＰ上での移動速度（走査速度）を一定に保つためのｆθレンズ７９が配置される。
【００４２】
ｆθレンズ７９の出射側であって、画像露光領域の直近であって主走査方向の上流側には、レーザー光を同期センサ１３０側に反射するためのミラー１３１が設けられている。同期センサ１３０は、例えば受光素子などで構成され、例えばＲレーザー光を受光することによって同期信号Ｓ１を出力する。
【００４３】
このように構成された露光エンジン７が副走査方向Ｘに搬送されるペーパーＰに対してレーザー光を主走査方向Ｙに走査することによって、ペーパーＰ上には１ラインごとに画像（潜像）が焼付露光される。
【００４４】
＜露光後搬送部の構成＞
次に、前記露光後搬送部Ｄの構成について、図３、４を参照して、詳しく説明する。
【００４５】
露光後搬送部Ｄは、露光後のペーパーＰをペーパー幅方向の複数列（本実施形態では２列）に振り分ける振り分け機能を有する露光後搬送ユニット１１によって構成されている。この露光後搬送ユニット１１が、振り分けユニットを構成する。この露光後搬送ユニット１１は、固定されたベース台１１１と、このベース台１１１に対して移動可能に設けられ、ペーパーＰを露光部Ｃから現像処理部Ｅまで搬送する搬送台１１３とを有する。ベース台１１１にはペーパー幅方向に延びる２本のレール１１２、１１２がペーパー搬送方向に離間して設けられている。
【００４６】
前記搬送台１１３は、前記ベース台１１１に対向して設けられたフレーム１１４と、ペーパー幅方向に延び且つペーパー搬送方向に離間してフレーム１１４に対して回動可能に支持された複数のローラ対１１５、１１５、…と、フレーム１１４の底面に設けられてベース台１１１側に突出する突出アーム１１６とを有する。フレーム１１４にはガイド１１２ａ、１１２ａが設けられており、このガイド１１２ａ、１１２ａがレール１１２、１１２それぞれに対して摺動自在に係合している。ローラ対１１５、１１５、…の各ローラの端には、図示省略の無端ベルトが掛け渡され、この無端ベルトによって駆動される。また、ローラ対１１５、１１５、…には、ペーパーＰ搬送中は各ローラ対を圧着する一方、ペーパーＰを搬送していないときには圧着状態を解除する図示省略の圧着解除機構が設けられている。突出アーム１１６は、ベース台１１１を貫通してその裏面まで延び且つ先端にねじ嵌合部１１６ａが設けられている。そして、このねじ嵌合部１１６ａにボールねじ１１７がねじ嵌合し、このボールねじ１１７をモータ１１８で回転駆動することによって搬送台１１３がレール１１２、１１２に沿ってペーパー幅方向に移動する。
【００４７】
このように構成された露光後搬送ユニット１１によって、露光部Ｃで露光処理されたペーパーＰは、ペーパー長さに基づいて次の２つの方法で露光部Ｃから現像処理部Ｅまで搬送される。
【００４８】
まず、ペーパー長さが前記搬送経路長Ｌよりも長い場合について説明する。
【００４９】
ペーパー長さが搬送経路長Ｌよりも長い場合は、振り分け機能がオフとなって、搬送台１３はその幅中央が前記露光部ＣにおけるペーパーＰのペーパー幅方向の中心位置と合致する位置（以下、中央位置という）に固定されたままとなる。そして、この状態で、ペーパーＰが露光部Ｃから搬送されてくると、ローラ対１１５、１１５、…が圧着状態となってペーパーＰを現像処理部Ｅまで搬送される（図５の（ａ）参照）。
【００５０】
つまり、ペーパー長さが搬送経路長Ｌよりも長いペーパーＰは、現像処理部Ｅに対して幅方向の中央位置から搬入される。
【００５１】
次に、ペーパー長さが露光部Ｃのレーザー露光位置Ｚから現像処理部Ｅまでの搬送経路長Ｌ（本実施形態では、露光後搬送部Ｄの搬送台１３のペーパー搬送方向長さ）よりも短い場合について説明する。
【００５２】
露光部Ｃで露光処理されたペーパーＰは、下流側露光搬送ローラ９ｂによって露光後搬送部Ｄへ搬送される。このとき搬送台１１３は中央位置に位置し、この中央位置でペーパーＰを受け取り、ローラ対１１５、１１５、…が圧着状態となる（図５の（ｂ）参照）。
【００５３】
そして、露光形成されたペーパーＰの後端が下流側露光搬送ローラ９ｂから離脱して、ペーパーＰが完全に搬送台１１３上に搬送されたときに、搬送台１１３をペーパー幅方向の一側へ移動させ、その状態でペーパーＰを現像処理部Ｅへ送り出す（図５の（ｃ）参照）。このペーパー幅方向の一側の位置は、中央位置から１枚のペーパー幅分だけペーパー幅方向へ移動した位置であって、現像処理部Ｅに対して中央位置から搬入されたペーパーＰと一側の位置から搬入されたペーパーＰとがペーパー幅方向に干渉しない距離だけ離れている。
【００５４】
現像処理部Ｅへ送り出されたペーパーＰの前端が、タンク１２０の入り口に位置するローラ対１２３に狭持されると、ペーパーＰの現像処理部Ｅへの受け渡しが完了したとして、ローラ対１１５、１１５、…の圧着解除機構によって各ローラ対の圧着状態を解除すると共に、搬送台１１３をもとの中央位置へ戻す。
【００５５】
搬送台１１３が中央位置へ戻ると、次のペーパーＰが露光処理されて、ペーパーＰの前端が下流側露光搬送ローラ９ｂから搬送台１１３へ受け渡され、ローラ対１１５、１１５、…が圧着状態となる。そして、ペーパーＰが完全に搬送台１１３上に搬送されたときに、搬送台１１３をペーパー幅方向の他側へ移動させ、その状態でペーパーＰを現像処理部Ｅへ送り出す（図５の（ｄ）参照）。このペーパー幅方向の他側の位置は、中央位置から１枚のペーパー幅分だけペーパー幅方向へ移動した位置であって、現像処理部Ｅに対して中央位置から搬入されたペーパーＰと他側の位置から搬入されたペーパーＰとがペーパー幅方向に干渉しない距離だけ離れている。
【００５６】
現像処理部Ｅへ送り出されたペーパーＰの前端が、タンク１２０の入り口に位置するローラ対１２３に狭持されると、ペーパーＰの現像処理部Ｅへの受け渡しが完了したとして、ローラ対１１５、１１５、…の圧着解除機構によって各ローラ対の圧着状態を解除すると共に、搬送台１１３をもとの中央位置へ戻す。
【００５７】
これを繰り返すことによって、露光形成されたペーパーＰがペーパー幅方向に２列に振り分けられて、千鳥状に現像処理部Ｅへ搬送される。
【００５８】
＜コントローラ１５の構成＞
次に、前記コントローラ１５について簡単に説明する。図６に示すように、コントローラ１５は、ＣＰＵバスで相互に接続されたＣＰＵ等の主制御部１５ａ、ハードディスクドライブ（ＨＤＤ：ハードディスクを含む）１５ｂ、ＲＯＭ１５ｃ及びＲＡＭ１５ｄを有している。
【００５９】
主制御部１５ａは、ＨＤＤ１５ｂやＲＯＭ１５ｃ等に記憶された各種のプログラムを実行し、画像記録装置Ａ内の各構成要素に指示を与え、かつそれらの動作を制御する。
【００６０】
ＨＤＤ１５ｂは、主制御部１５ａの指示に従って、プログラム、制御用データ、テキストデータ、画像データ等をハードディスクに対して書き込み又読み出す。この実施形態では、ＨＤＤ１５ｂ内のハードディスクに画像記録装置Ａの動作のためのプログラムが格納されると共に、後述する、露光エンジン７を制御するためのルックアップテーブル等が格納されている。このルックアップテーブルは、入力色データに対して変換される出力データ（例えば、発光強度）の関係を表したものであり、本実施形態では、Ｒ、Ｇ、Ｂに対応した３つのルックアップテーブルが格納されている。
【００６１】
ＲＯＭ１５ｃは、起動用プログラム等を記憶している。起動用プログラムは、画像記録装置Ａの電源投入時に主制御部１５ａによって実行される。これによって、ＨＤＤ１５ｂに記憶されているオペレーティングシステム（ＯＳ）等のプログラムがＲＡＭ１５ｄにロードされ、各種の処理や制御が実行可能となる。
【００６２】
ＲＡＭ１５ｄには、画像記録装置Ａを制御するプログラムが展開され、このプログラムによる処理結果、処理のための一時データ、入出力ユニット１６の画面上に情報を表示するための表示用データ（テキストデータ、画像データ等）等を保持し、主制御部１５ａの作業領域として使用される。ＲＡＭ１５ｄ上に展開された表示用データは入出力ユニット１６に伝達され、入出力ユニット１６はその画面上に表示用データに対応する表示内容（テキスト、画像等）を表示する。
【００６３】
また、主制御部１５ａには、入力された画像データに所定の画像処理を施したり、画像データの入出力を制御する画像処理部１５０と、Ｒ、Ｇ、Ｂの各色成分ごとに、入力された画像データを一時的に記憶する画像メモリ１５１と、後述する同期センサ１３０から出力された同期信号Ｓ１を受信して、画像処理部１５０による画像メモリ１５１からの画像データの読み出し及び画像データの出力のタイミングを制御するクロック制御部１５２と、後述する光変調データＭＤＲ、ＭＤＧ及びＭＤＢを記憶するバッファメモリ１５３と、入出力ユニット１６とが信号の授受可能に接続されると共に、露光搬送ローラ９の回転量からペーパーＰの搬送量を検出する搬送量検出部１６０と前記ペーパー検出センサー１０からの検出信号が入力されるように構成されている。そして、主制御部１５ａは、レーザー光源７０Ｒ、７０Ｇ、７０Ｂから出力されるレーザー光の強度を一定に維持する３つのレーザー駆動部（ＬＤ）１５５Ｒ、１５５Ｇ、１５５Ｂと、画像データに含まれるＲ、Ｇ、Ｂの各成分ごとの階調度に応じて、ＡＯＭ７２Ｒ、７２Ｇ、７２Ｂを通過するレーザー光の強度を変調するように制御するＡＯＭ駆動部（ＡＯＭＤ）１５６Ｒ、１５６Ｇ、１５６Ｂと、ポリゴンミラー７８を回転制御するポリゴンミラー駆動部（ＰＭＤ）１５７と、露光搬送ローラ９を駆動制御するローラ駆動部（ＲＤ）１５８と、前記露光後搬送ユニット１１のモータ１１８を駆動制御するモータ駆動部（ＭＤ）１５９とに制御信号を出力するように構成されている。
【００６４】
次に、クロック制御部１５２及びクロック制御部１５２に接続される各種回路のブロック構成図を図７に示す。
【００６５】
図７に示すように、画像処理部１５０は、画像処理部１５０Ｒ、１５０Ｇ及び１５０Ｂを備える。画像処理部１５０Ｒ、１５０Ｇ及び１５０Ｂは、それぞれスキャナなどで読み込まれた画像デ−タのＲ、Ｇ及びＢ成分の画像データＤＲ、ＤＧ及びＤＢに対して、シェーディング補正や、カラーバランス補正などの所定の画像処理を施す。また、画像処理部１５０Ｒ、１５０Ｇ及び１５０Ｂは、それぞれ画像処理を施した画像データＤＲ、ＤＧ及びＤＢの階調度に応じてＨＤＤ１５ｂに格納されたルックアップテーブルに記憶されている光変調データＭＤＲ、ＭＤＧ及びＭＤＢ読み出し、画像メモリ１５１Ｒ、１５１Ｇ及び１５１Ｂに出力する。画像処理部１５０Ｒ、１５０Ｇ及び１５０Ｇは、それぞれ後述するクロック発生部１５２３から出力されたクロック信号ＣＬと同期して、光変調データＭＤＲ、ＭＤＧ及びＭＤＢを１画素ずつ、画像メモリ１５１Ｒ、１５１Ｇ及び１５１Ｂに出力する。
【００６６】
画像メモリ１５１は、画像処理部１５０Ｒ、１５０Ｇ及び１５０Ｂと１２ビットのパラレルラインでそれぞれ接続され、光変調データＭＤＲ、ＭＤＧ及びＭＤＢを記憶する画像メモリ１５１Ｒ、１５１Ｇ及び１５１Ｂを備える。画像メモリ１５１Ｒ、１５１Ｇ及び１５１Ｂは、それぞれクロック発生部１５２３から出力されるクロック信号ＣＬと同期して、バッファメモリ１５３Ｒ、１５３Ｇ及び１５３Ｂに対して、光変調データＭＤＲ、ＭＤＧ及びＭＤＢを１画素ずつ出力する。
【００６７】
バッファメモリ１５３は、画像メモリ１５１Ｒ、１５１Ｇ及び１５１Ｂと１２ビットのパラレルラインでそれぞれ接続されたバッファメモリ１５３Ｒ、１５３Ｇ及び１５３Ｂを備える。バッファメモリ１５３Ｒ、１５３Ｇ及び１５３Ｂは、それぞれ１２ビットのデータのパラレル転送が可能なシフトレジスタで構成され、光変調データＭＤＲ、ＭＤＧ及びＭＤＢの１ライン分を記憶することができる容量を有している。画像メモリ１５１Ｒ、１５１Ｇ及び１５１Ｂは、それぞれクロック発生部１５２３からのクロック信号ＣＬと同期して、画像メモリ１５１Ｒ、１５１Ｇ及び１５１Ｂから光変調データＭＤＲ、ＭＤＧ及びＭＤＢを１画素ずつ読み込み、読み込んだ光変調データＭＤＲ、ＭＤＧ及びＭＤＢを右隣のレジスタに転送する。また、バッファメモリ１５３Ｒ、１５３Ｇ及び１５３Ｂは、それぞれ後述する露光カウンタ１５２２から出力されるイネーブル信号ＥＳが立ち上げられると、クロック発生部１５２３から出力されるクロック信号ＣＬと同期して、Ｄ／Ａコンバータ１５４Ｒ、１５４Ｇ及び１５４Ｂに対して、光変調データＭＤＲ、ＭＤＧ及びＭＤＢを１画素ずつ出力する。
【００６８】
Ｄ／Ａコンバータ１５４は、それぞれバッファメモリ１５３Ｒ、１５３Ｇ及び１５３Ｂと１２ビットのパラレルラインで接続されたＤ／Ａコンバータ（Ｄ／Ａ）１５４Ｒ、１５４Ｇ及び１５４Ｂを備える。Ｄ／Ａ１５４Ｒ、１５４Ｇ及び１５４Ｂは、それぞれクロック発生部１５２３から出力されるクロック信号ＣＬと同期して、バッファメモリ１５３Ｒ、１５３Ｇ及び１５３Ｂから出力される１画素分の光変調データＭＤＲ、ＭＤＧ及びＭＤＢを受信して、受信した１画素分の光変調データＭＤＲ、ＭＤＧ及びＭＤＢをアナログ信号ＡＳＲ、ＡＳＧ及びＡＳＢに変換し、ＡＯＭＤ１５６Ｒ、１５６Ｇ及び１５６Ｂに出力する。
【００６９】
クロック制御部１５２は、同期信号カウンタ１５２１と、露光カウンタ１５２２と、クロック発生部１５２３とを備える。
【００７０】
同期信号カウンタ１５２１は、露光開始信号Ｓ２を露光カウンタ１５２２に出力する。詳しくは、同期信号カウンタ１５２１は、主制御部１５ａで設定される露光モード（詳しくは後述する）に応じて、同期センサ１３０から出力される同期信号Ｓ１を受信する毎に露光開始信号Ｓ２を出力するか、又は同期信号Ｓ１を２パルス分カウントして（即ち、２パルス受信する毎に）露光開始信号Ｓ２を出力する。同期センサ１３０は、Ｒレーザー光を受信すると、同期信号Ｓ１を出力するが、この同期信号Ｓ１は、Ｒレーザー光がポリゴンミラー７８の１つのミラー面で反射が開始される時点で出力されるため、同期信号カウンタ１５２１が、同期信号Ｓ１を２パルス受信する毎にペーパーＰに対して露光を開始すると、ポリゴンミラー７８のミラー面が１面分間引かれて使用されることとなる。そのため、１ライン分の画像データが副走査方向Ｘへ順次形成される速度が遅くなる（全ミラー面を使用するときと比較して、半分になる）。このように、ポリゴンミラー７８の使用するミラー面の数を変更することによって、画像データの副走査方向Ｘへの形成速度を変更することができる。すなわち、クロック制御部１５２は、ポリゴンミラー７８のミラー面のうち使用するミラー面数を変更する使用面数変更手段を構成する。
【００７１】
露光カウンタ１５２２は、露光開始信号Ｓ２を受信すると、クロック発生部１５２３から出力されるクロック信号ＣＬのカウントを開始する。そして、露光カウンタ１５２２は、クロック信号ＣＬを所定パルスカウントすると、バッファメモリ１５３Ｒ、１５３Ｇ及び１５３Ｂに対して出力するイネーブル信号ＥＳを立ち上げる。また、露光カウンタ１５２２は、イネーブル信号ＥＳを立ち上げた後、クロック信号ＣＬを所定パルスカウントすると、１ライン分の画像データの露光を終了させるために、イネーブル信号ＥＳを立ち下げる。
【００７２】
クロック発生部１５２３は、ペーパーＰ上に１画素分の画像データを露光するタイミングを決定するためのクロック信号（ドットクロック信号）ＣＬを生成し、生成したクロック信号ＣＬを画像メモリ１５１Ｒ、１５１Ｇ及び１５１Ｂ、バッファメモリ１５３Ｒ、１５３Ｇ及び１５３Ｂ、Ｄ／Ａコンバータ１５４Ｒ、１５４Ｇ及び１５４Ｂなどに出力し、本画像記録装置Ａを構成する各種回路の動作を同期させる。
【００７３】
次に、ポリゴンミラー７８のミラー面を間引かずに使用する場合と、ミラー面を間引いて使用する場合の動作について詳細に説明する。
【００７４】
ポリゴンミラー７８のミラー面を間引かずに使用する場合は、まず、主制御部１５ａがペーパー検出センサ１０の検出信号と、搬送量検出部１６０の出力信号に基づいて、露光開始タイミングを算出すると共に、露光カウンタ１５２２へ露光開始信号Ｓ２を出力する。露光カウンタ１５２２は、露光開始信号Ｓ２を受信すると、バッファメモリ１５３Ｒ、１５３Ｇ及び１５３Ｂに出力するイネーブル信号ＥＳを立ち上げるとともに、クロック発生部１５２３から出力されるクロック信号ＣＬのカウントを開始する。イネーブル信号ＥＳが立ち上げられると、レーザー光源７０Ｒ、７０Ｇ及び７０Ｂから出力されたＲ、Ｇ及びＢレーザー光が、バッファメモリ１５３Ｒ、１５３Ｇ及び１５３Ｂそれぞれに記憶されている１ライン分の光変調データＭＤＲ、ＭＤＧ及びＭＤＢに基づいてＡＯＭ７２Ｒ、７２Ｇ、７２Ｂによって変調され（画像データが重畳され）、ペーパーＰへ露光が開始される。これによりミラー面Ｐ１を用いて１ラインの画像データが露光される。そして、１ラインの画像データの露光が終了すると、露光カウンタ１５２２は、イネーブル信号ＥＳを立ち下げ、露光を停止させる。
【００７５】
そして、ミラー面Ｐ１を用いて１ラインの画像データの露光が終了すると、Ｒレーザー光は、ミラー面Ｐ２によって反射され、反射開始後直ぐに同期センサ１３０により検知される。そして、同期センサ１３０から同期信号カウンタ１５２１に対して同期信号Ｓ１が出力され、同期信号カウンタ１５２１は同期信号Ｓ１を受信すると、露光開始信号Ｓ２を露光カウンタ１５２２に出力する。その結果、上述のミラー面Ｐ１と同様の流れで、ミラー面Ｐ２によって次の１ラインの画像データが露光される。
【００７６】
続いて、Ｒレーザー光はミラー面Ｐ３によって反射され、上述のミラー面Ｐ１と同様の流れで、ミラー面Ｐ３によって次の次の１ラインの画像データが露光される。
【００７７】
このように、ポリゴンミラー７８の全ミラー面を順次使用して、画像データが１ラインずつ露光されていく。
【００７８】
一方、ポリゴンミラー７８のミラー面を間引いて使用する場合は、まず、上述の如く、ミラー面Ｐ１を用いて１ラインの画像データの露光が終了すると、Ｒレーザー光は、ミラー面Ｐ２によって反射され、反射開始後直ぐに同期センサ１３０により検知される。そして、同期センサ１３０から同期信号カウンタ１５２１に対して同期信号Ｓ１が出力され、同期信号カウンタ１５２１がカウントアップされる。なお、この場合、Ｒレーザー光は、ポリゴンミラー７８の回転運動によって、ミラー面Ｐ２によりペーパーＰ上を走査されるが、Ｒレーザー光には、階調度が０の画像データが重畳され、レーザビームの強度が一番弱い強度に設定されるため、ペーパーＰは露光されない。また、Ｇ及びＢレーザー光もＲレーザー光と同様にペーパーＰ上を走査されるが、ペーパーＰは露光されない。
【００７９】
次に、ミラー面Ｐ３によりＲレーザー光の反射が開始されると、同期センサ１３０から同期信号カウンタ１５２１に同期信号Ｓ１が出力され、同期信号カウンタ１５２１がカウントアップされる。こうして、同期信号カウンタ１５２１が、同期信号Ｓ１を２パルス分カウントすると、露光開始信号Ｓ２を露光カウンタ１５２２に出力する。露光カウンタ１５２２は、露光開始信号Ｓ２を受信すると、上述のミラー面Ｐ１と同様の流れで、ミラー面Ｐ３によって次の１ラインの画像データが露光される。そして、次の１ラインの画像データの露光が終了すると、露光カウンタ１５２２は、イネーブル信号ＥＳを立ち下げ、露光を停止させる。
【００８０】
次に、同期信号カウンタ１５２１が同期信号Ｓ１を２パルス分カウントすると、同期信号カウンタ１５２１は、露光開始信号Ｓ２を露光カウンタ１５２２に出力し、露光カウンタ１５２２は、イネーブル信号ＥＳを立ち上げ、ミラー面Ｐ５によって、次の次の１ラインの画像データの露光が開始される。
【００８１】
このように、ポリゴンミラー７８のミラー面を１面分間引いて、ミラー面Ｐ１とＰ３とＰ５とＰ７とを順次使用して画像データが１ラインずつ露光されていく。
【００８２】
尚、同期信号カウンタ１５２１は、同期信号Ｓ１を２パルス分カウントしたときに露光開始信号Ｓ２を出力したが、これに限定されず、ペーパーＰの搬送速度とポリゴンミラー７８の回転速度との関係から、同期信号カウンタ１５２１がカウントするカウンタ値を適宜変更してもよい。この場合、同期信号カウンタ１５２１のカウンタ値に応じて、ポリゴンミラー７８のミラー面が間引かれて使用されることとなる。
【００８３】
こうして、ポリゴンミラー７８の使用するミラー面の面数を変更することによって、ポリゴンミラー７８の回転速度は同じままで、副走査方向Ｘへの画像の形成速度を変更することができる。
【００８４】
＜露光処理から現像処理までの動作＞
このように構成された画像記録装置Ａにおける画像の露光処理から現像処理までの流れを図８に示すフローチャートを用いて説明する。
【００８５】
まず、ステップＳＡ１において、ＨＤＤ１５ｂに記憶されているプリントサイズデータを読み込んで、ペーパーＰのペーパー長さが露光位置Ｚから現像処理部Ｅまでの搬送経路長Ｌより長いか否かを判定する。長い場合（ＹＥＳ）にはステップＳＡ２へ進む一方、そうでない場合（ＮＯ）にはステップＳＡ６へ進む。
【００８６】
ペーパー長さが搬送経路長Ｌより長い場合は、ステップＳＡ２において、露光後搬送ユニット１１の振り分け機能をオフにする。
【００８７】
次に、ステップＳＡ３において、露光部Ｃの露光搬送ローラ９を制御することでペーパーＰの露光搬送速度を第２露光搬送速度Ｖ２に設定すると共に、クロック制御部１５２を制御することでポリゴンミラー７８のミラー面のうち１面分を間引いて使用するように設定して（以下、この搬送速度とミラー面の使用枚数との設定状態を第２露光モードという）、この第２露光モードで画像を露光する。
【００８８】
そして、ペーパーＰの前端が現像処理部Ｅに到達すると、現像処理が開始される（ステップＳＡ４）。
【００８９】
そして、１枚のペーパーＰの露光処理が完了すると、ステップＳＡ５において、次のペーパーＰの画像露光を連続して行うか否かを判定する。連続して行う場合（ＹＥＳ）は、ステップＳＡ１１へ進む一方、連続して行わない場合（ＮＯ）は、リターンする。ステップＳＡ１１においては、露光処理が完了してペーパーＰの後端と次に露光処理を行うペーパーＰの前端との間隔が所定間隔以上か否かを判定する。そして、該所定間隔以上の場合（ＹＥＳ）にはステップＳＡ１へ戻る一方、該所定間隔よりも狭い場合にはステップＳＡ３へ戻る。詳しくは、次のペーパーＰがペーパー検出センサ１０によって検出されたときに、露光処理が完了したペーパーＰの後端がどこに位置するかを検出する。この露光処理が完了したペーパーＰの後端は、ペーパーＰのペーパー長さと、露光搬送ローラ９及び搬送台１１３のローラ対１１５、１１５、…の回転量とを用いて、ペーパー検出センサ１０の位置からどれだけ下流側に位置するかを検出することができる。また、上記所定間隔とは、次のペーパーＰを上流側露光搬送ローラ９ａの位置から第１露光搬送速度で搬送したとき（露光処理が完了してペーパーＰは第２露光搬送速度（即ち、現像搬送速度）で搬送されている）に、この次のペーパーＰの前端が、露光処理完了後のペーパーＰの後端に現像処理部Ｅの入口でちょうど追いつく間隔である。つまり、露光処理完了後のペーパーＰの後端と次のペーパーＰの前端との間隔が所定間隔以上であれば、次のペーパーＰを第１露光搬送速度で搬送しても、露光後搬送部Ｄで露光処理完了後のペーパーＰの後端と次のペーパーＰの前端とが干渉したり、重なったりすることがない。つまり、連続して露光処理を行う際に、ペーパー長さが搬送経路長Ｌより長いペーパーＰの露光処理を行ったときであって且つ露光処理完了後のペーパーＰの後端と次のペーパーＰの前端との間隔が所定間隔より狭い場合には、次のペーパーＰについては、ステップＳＡ３以降で、ペーパー長さに拘わらず第２露光モードで露光処理を行う。こうすることによって、搬送台１１３上で、露光処理完了後のペーパーＰと次のペーパーＰとが干渉したり、重なったりすることを防止することができる。一方、連続して露光処理を行う際に、ペーパー長さが搬送経路長Ｌより長いペーパーＰの露光処理を行ったときであって且つ露光処理完了後のペーパーＰの後端と次のペーパーＰの前端との間隔が所定間隔以上の場合には、露光処理完了後のペーパーＰと次のペーパーＰとが搬送台１１３上で干渉したり、重なったりすることがないため、ステップＳＡ１以降で、ペーパー長さに基づいて第１露光モードか第２露光モードで露光処理を行うことができる。
【００９０】
こうして、ペーパー長さが搬送経路長Ｌより長いペーパーＰについては第２露光モードで露光処理を行うことによって、ペーパーＰの後端が露光処理されつつ、同時に前端が現像処理されるような場合であっても、ペーパーＰが現像搬送速度と同じ第２露光搬送速度Ｖ２で搬送されているため、後端部で露光処理を行いつつ、前端部ではペーパーＰと現像処理部Ｅ内の薬品とが十分に反応して、現像処理を適切に行うことができる。
【００９１】
一方、ステップ１において、パーパー長さが搬送経路長Ｌ以下の場合（ＮＯ）は、ステップＳＡ６において、露光後搬送ユニット１１の振り分け機能をオンにする。
【００９２】
次に、ステップＳＡ７において、、露光部Ｃの露光搬送ローラ９を制御することでペーパーＰの露光搬送速度を第１露光搬送速度Ｖ１に設定すると共に、クロック制御部１５２を制御することでポリゴンミラー７８のミラー面のうち全面を使用するように設定して（以下、この搬送速度とミラー面の使用枚数との設定状態を第１露光モードという）、この第１露光モードで画像を露光する。
【００９３】
そして、露光処理が完了すると、露光後搬送ユニット１１によって振り分けが行われ、ペーパー幅方向の何れか一側に振り分けられて（ステップＳＡ８）、振り分けられた状態で現像処理が行われる（ステップＳＡ９）。
【００９４】
その後、ステップＳＡ１０において、次のペーパーＰの露光処理を連続して行うか否かを判定する。連続して行う場合（ＹＥＳ）は、ステップＳＡ１へ戻り、ペーパー長さと搬送経路長Ｌとの長短関係に基づいて、第１露光モードか又は第２露光モードで露光処理を行う。一方、連続して行わない場合（ＮＯ）は、リターンする。
【００９５】
ここで、ペーパー長さが搬送経路長Ｌ以下のペーパーＰを露光処理した後は、連続して露光処理を行う場合であってもステップＳＡ１まで戻って再びペーパー長さに基づいて露光モードを設定するのは、ペーパー長さが搬送経路長Ｌ以下のペーパーＰの画像露光が完了したときには、図５の（ｂ）又は（ｃ）に示すように、露光処理後のペーパーＰは露光後搬送ユニット１１によってペーパー幅方向の何れかに振り分けられているため、続けて、次のペーパーＰを第１の露光モードで露光処理しても、搬送台１１３上で、先に画像露光が完了したペーパーＰと次のペーパーＰとが干渉したり、重なったりすることがないためである。
【００９６】
こうして、ペーパー長さが搬送経路長Ｌ以下のペーパーＰについては第１露光モードで露光処理を行うことによって、搬送経路長Ｌより長いペーパーＰを露光処理するときよりも速い速度（本実施形態では２倍の速度）で露光処理することができ、処理能力を向上させることができる。
【００９７】
したがって、本実施形態１によれば、ペーパー長さが搬送経路長Ｌ以下のペーパーＰについては、露光搬送速度が相対的に速い第１の露光モードで露光処理を行うことによって、処理能力を向上させることができる。一方、ペーパー長さが搬送経路長Ｌよりも長いペーパーＰについては、露光搬送速度が現像搬送速度と同じ第２の露光モードで露光処理を行うことによって、露光処理と現像処理とが同時に行われるときであっても、現像処理が行われるペーパーＰの前側部分ではペーパーＰと現像処理部Ｅの薬品とが十分に反応して適切な現像処理を行うことができる。
【００９８】
また、現像処理部Ｅでは、ペーパーＰの搬送速度を上げることができず、前記所定の現像搬送速度でペーパーＰを搬送する必要があるが、露光後搬送ユニット１１によって、複数列でペーパーＰを現像処理することができるため、第１の露光モードで処理能力を上げて露光処理を行った場合であっても、処理能力を落とすことなく現像処理を行うことができる。
【００９９】
さらに、ペーパー長さが搬送経路長Ｌ以下の複数のペーパーＰを連続して露光処理する際には、露光処理完了後のペーパーＰが露光後搬送ユニット１１によってペーパー幅方向の両側に交互に振り分けられるため、搬送台１１３の上で、露光処理完了後のペーパーＰの後端部と露光処理中のペーパーＰの前端部とが干渉したり、重なったりすることを防止することができる。
【０１００】
さらにまた、複数のペーパーＰを連続して露光処理する場合であって、ペーパー長さが搬送経路長Ｌより長いペーパーＰを露光処理した後は、ペーパー長さに拘わらず、つまり、ペーパー長さが搬送経路長Ｌ以下のペーパーＰであっても、露光搬送速度が相対的に遅い第２の露光モードで露光処理を行うことによって、ペーパー幅方向に振り分けられることなく、搬送台１１３上を現像処理部Ｅへ向かって搬送されている露光処理完了後のペーパーＰの後端部と、露光処理中のペーパーＰの前端部とが搬送台１１３上で干渉したり、重なったりすることを防止することができる。
【０１０１】
また、第１の露光モードと第２の露光モードとは、ペーパーＰの露光搬送速度が異なるだけでなく、露光搬送速度に合わせて、ポリゴンミラー７８によって副走査方向へ１ラインずつ順次形成されていく画像の形成速度も変更することによって、形成される画像が副走査方向Ｘへ圧縮したり膨張したりすることを防止することができる。
【０１０２】
さらに、上述の画像の形成速度の変更を、露光処理に使用するポリゴンミラー７８のミラー面数を変更することによって実現するため、ポリゴンミラー７８の回転速度を遅くする必要がなく、空気軸受によって支持されたポリゴンミラー７８の動作安定性を損なうことを防止することができる。また、ポリゴンミラー７８の回転速度を変えないため、主走査方向Ｙへの画像の形成速度は変わらず、つまり、１ドット当たりのレーザー光の照射時間が一定となるため、副走査方向Ｘへの画像の形成速度を変更した場合であっても、形成される画像の発色濃度を一定に保つことができる。
【０１０３】
《発明の実施形態２》
次に、本発明に係る実施形態２について説明する。この実施形態２は、露光処理における第１の露光モードと第２の露光モードとの切替のタイミングが実施形態１と異なる。尚、実施形態１と同様の構成については、同じ符号を付し、詳細な説明は省略する。
【０１０４】
実施形態２に係る画像記録装置Ａにおける露光処理から現像処理までの流れを図９に示すフローチャートを用いて説明する。
【０１０５】
まず、ステップＳＢ１において、露光後搬送ユニット１１の振り分け機能をオンにする。そして、ステップＳＢ２において、露光部Ｃを第１の露光モードに設定して、露光処理を行う。
【０１０６】
続いて、ステップＳＢ３において、前記露光位置Ｚから下流側に搬送されたペーパーＰの搬送長さが該露光位置Ｚから現像処理部Ｅまでの搬送経路長Ｌよりも長くなるか否かを判定する。そして、搬送長さが搬送経路長Ｌよりも長くなったとき（ＹＥＳ）はステップＳＢ４へ進む一方、搬送長さが搬送経路長Ｌより長くなることなく露光処理が完了したとき、即ち、ペーパー長さが搬送経路長Ｌ以下のとき（ＮＯ）はステップＳＢ８へ進む。
【０１０７】
搬送長さが搬送経路長Ｌよりも長くなったときには、ペーパーＰの前端が現像処理部Ｅ内へ搬送され始めるため、ステップＳＢ４において露光後搬送ユニット１１の振り分け機能をオフにすると同時に、ステップＳＢ５において露光部Ｃを第２の露光モードに設定する。そして、ステップＳＢ６において現像処理を開始する。
【０１０８】
そして、１枚のペーパーＰの露光処理が完了すると、ステップＳＢ７において、次のペーパーＰの露光処理を連続して行うか否かを判定する。連続して行う場合（ＹＥＳ）はステップＳＢ１１へ進む一方、連続して行わない場合（ＮＯ）はリターンする。そして、ステップＳＢ１１では、前記実施形態１のステップＳＡ１１と同様に、露光処理完了後のペーパーＰの後端と次のペーパーＰの前端との間隔が所定間隔以上か否かを判定し、所定間隔よりも狭い場合はステップＳＢ５へ戻り、ペーパーＰの搬送長さに拘わらず、第２露光モードで露光処理を行う。こうすることによって、連続して露光処理する際であって、ペーパー長さが搬送経路長Ｌより長いペーパーＰの露光処理を行ったときは、次のペーパーＰは、搬送台１１３上で、露光処理完了後のペーパーＰと次のペーパーＰとが干渉したり、重なったりすることを防止することができる。一方、露光処理完了後のペーパーＰの後端と次のペーパーＰの前端との間隔が所定間隔以上の場合はステップＳＢ１へ戻って第１露光モードで露光処理を行うと共に、搬送長さと搬送経路長Ｌとの長短関係に基づいて、第１露光モードから第２露光モードへ切り替えるか否かを判定する。
【０１０９】
こうして、搬送長さが搬送経路長Ｌよりも長くなるペーパーＰ、即ち、ペーパー長さが搬送経路長Ｌより長いペーパーＰについては、露光位置Ｚから下流側への搬送長さが搬送経路長Ｌとなるまでは第１の露光モードで処理能力を向上させて露光処理を行うことができる一方、搬送長さが搬送経路長Ｌを超えると第２露光モードで露光処理を行うことによって、現像処理が行われるペーパー前端においてはペーパーＰと現像処理部Ｅ内の薬品とが十分に反応して、現像処理を適切に行うことができる。
【０１１０】
一方、露光位置Ｚから下流側への搬送長さが搬送経路長Ｌより長くなることなく露光処理が完了したときは、露光後搬送ユニット１１によって振り分けが行われ、ペーパー幅方向の何れか一側に振り分けられて（ステップＳＢ８）、振り分けられた状態で現像処理が行われる（ステップＳＢ９）。
【０１１１】
その後、ステップＳＢ１０において、次のペーパーＰの露光処理を連続して行うか否かを判定する。連続して行う場合（ＹＥＳ）は、ステップＳＢ２へ戻り、搬送長さと搬送経路長Ｌとの長短関係に基づいて、第１露光モードか又は第２露光モードで露光処理を行う。一方、連続して行わない場合（ＮＯ）は、リターンする。
【０１１２】
ここで、ペーパー長さが搬送経路長Ｌ以下のペーパーＰを露光処理した後は、連続して露光処理を行う場合であってもステップＳＢ２まで戻って再び搬送長さに基づいて露光モードを設定するのは、ペーパー長さが搬送経路長Ｌ以下のペーパーＰの画像露光が完了したときには、図５の（ｂ）又は（ｃ）に示すように、露光処理後のペーパーＰは露光後搬送ユニット１１によってペーパー幅方向の何れかに振り分けられているため、続けて、次のペーパーＰを第１の露光モードで露光処理しても、搬送台１１３上で、露光処理完了後のペーパーＰと次のペーパーＰとが干渉したり、重なったりすることがないためである。
【０１１３】
こうして、ペーパー長さが搬送経路長Ｌ以下のペーパーＰについては第１露光モードで露光処理を行うことによって、搬送経路長Ｌより長いペーパーＰを露光処理するときよりも速い速度（本実施形態では２倍の速度）で露光処理することができ、処理能力を向上させることができる。
【０１１４】
したがって、本実施形態２によれば、ペーパー長さが搬送経路長Ｌ以下のペーパーＰについては、露光搬送速度が相対的に速い第１の露光モードで露光処理を行うことによって、処理能力を向上させることができる。一方、ペーパー長さが搬送経路長Ｌよりも長いペーパーＰについては、露光処理と現像処理とが同時に行われるときには、露光搬送速度が現像搬送速度と同じ第２の露光モードで露光処理を行うことによって、現像処理が行われるペーパーＰの前側部分では、ペーパーＰと現像処理部Ｅの薬品とが十分に反応して適切な現像処理を行うことができる。さらに、前記実施形態２では、前記実施形態１とことなり、ペーパー長さが搬送経路長Ｌよりも長いペーパーＰであっても、露光処理と現像処理とが同時に行われるとき、すなわち、露光位置Ｚから下流側へのペーパーＰの搬送長さが搬送経路長Ｌ以下の間は、第１の露光モードで露光処理を行うため、処理能力を可及的に向上させることができる。
【０１１５】
《発明の実施形態３》
次に、本発明に係る実施形態３について説明する。この実施形態３は、露光後搬送部Ｄ’の構成が前記実施形態１及び実施形態２と異なる。尚、実施形態１と同様の構成については、同じ符号を不意、詳細な説明は省略する。
【０１１６】
図１０、１１は、本実施形態３に係る画像形成装置Ａを示す。この実施形態３のものは、露光後のペーパーＰの一部にループＰｒを形成したものであり、その他、取り付けられるペーパーマガジン３が１つだけであること等を除いて前記実施形態１のものと実質、同じ構造なので、同一部材には同一の符号を付して、その説明は省略する。
【０１１７】
すなわち、この実施形態３では、図１０に示すように、露光後搬送部Ｄ’は、露光後搬送ユニット１１に代えて、ループ形成搬送ユニット１７によって構成されている。ループ形成搬送ユニット１７は、ペーパーＰの搬送経路に沿って配置された複数の挟持搬送ローラ１７ａ、１７ａ、…と、その各々の間に配置されペーパーＰの表裏両面に近接対向してその搬送をガイドするガイド部材１８、１７ｂ、１７ｂ、…とを備えている。この挟持搬送ローラ１７ａは、各ローラ対を圧着状態と非圧着状態とに切り替えるための圧着駆動手段（図示省略）と各ローラ対を回転駆動させるローラ駆動手段（図示省略）とを備えている。また、ループ形成搬送ユニット１７の最上流側に位置するガイド部材１８は、図１１に拡大して示すが、ペーパーＰの前端をスムーズに案内するよう断面円弧状に形成され、ペーパーＰの表裏両面に各々近接して対向する一対のガイド板１８ａ、１８ｂからなる。
【０１１８】
前記一対のガイド板１８ａ、１８ｂのうち、外周側に位置するガイド板１８ａは、その一端部の回転軸芯の周りに回動可能とされていて、図に実線で示すように他端部が露光搬送ローラ９に近接して、そこから搬出されるペーパーＰをガイドするガイド位置と、仮想線で示す非ガイド位置とに切り替えられるようになっている。図の例では、ガイド板１８ａの位置を切り替えるために、歯付ベルト等を介してモーターによりガイド板１８ａを開閉駆動するガイド板駆動機構１８ｃが設けられている。
【０１１９】
そして、ペーパーＰの前端が現像処理部Ｅへ送り出される手前の所定のタイミング（例えば、ペーパーＰの前端が現像処理部Ｅの入口のローラ対１２３（図１参照）まで到達したとき）において、挟持搬送ローラ対１７ａの回転が停止されるとともに、前記ガイド板１８ａが非ガイド位置に切り替えられる。
【０１２０】
そうすると、その後も下流側露光搬送ローラ９ｂにより送り出されてくるペーパーＰの一部が、図に仮想線で示すように収容空間部Ｓ内へ膨出して、ループＰｒを形成するようになる。そして、下流側露光搬送ローラ９ｂから下流側に搬送したペーパーＰの搬送長さが所定長さ（所定形状のループＰｒが形成される長さ）以上となると、挟持搬送ローラ対１７ａが再び回転駆動されて、ペーパーＰが現像処理部Ｅへ送り出される。つまり、ペーパー長さが該所定長さ以上のペーパーＰは、ループＰｒが形成された状態で、その前端部は現像処理部Ｅ内へ搬入されて現像処理が行われる一方、後端側では露光部Ｃにおいて露光処理が行われることになる。つまり、このようにループＰｒが形成されつつ、現像処理と露光処理とが行われているときの露光位置Ｗから現像処理部Ｅまでの搬送経路長Ｌ’とは、ループＰｒを含む露光位置Ｗから現像処理部ＥまでのペーパーＰのペーパー長さとなる（即ち、前記所定形状のループＰｒが形成される所定長さとなる）。したがって、本実施形態３の如く、露光後搬送部Ｄ’においてループＰｒを形成するような構成において、第１露光モードと第２露光モードとを判定する際の露光位置Ｗから現像処理部Ｅまでの搬送経路長Ｌ’は、ペーパーＰが露光位置Ｗと現像処理部Ｅとの間に貯留されうる最大長さとなる。
【０１２１】
前記のようにループＰｒを形成するための挟持搬送ローラ対１７ａの制御は、ループ形成搬送ユニット１７を制御する搬送ユニット駆動制御手段１７ｄによる圧着駆動手段及びローラ駆動手段の制御である。また、前記ガイド板１８ａの制御は、例えば前記搬送ユニット駆動制御手段１７ｄからの信号を受けたガイド板制御手段１８ｄが、前記挟持搬送ローラ対１７ａの制御と同期してガイド板駆動機構１８ｃを制御することにより、実現する。
【０１２２】
この実施形態３に係る画像形成装置Ａによると、ペーパーＰの前端側で現像処理が行われ、後端側で露光処理が行われているときには、その間の部分にループＰｒが形成されているため、現像処理による振動が露光位置Ｗに位置するペーパーＰまで伝達することを防止し、画質の低下を防止することができる。
【０１２３】
尚、実施形態３における第１露光モードと第２露光モードとの判定は、前記実施形態１及び実施形態２の何れの方法も採用することができる。
【０１２４】
《その他の実施形態》
本発明の構成は、前記実施形態１、２に限定されるものではなく、それ以外の種々の構成を包含するものである。すなわち、前記実施形態１では、ペーパー長さが露光位置Ｚから現像処理部Ｅまでの搬送経路長Ｌ以下のペーパーＰは第１の露光モードで、ペーパー長さが該搬送経路長Ｌよりも長いペーパーＰは第２の露光モードで露光処理を行うように構成しているが、誤差等を考慮して、搬送経路長Ｌよりも短い所定の基準長さ（例えば、搬送台１１３の搬送方向長さ）以下のペーパーＰは第１の露光モードで、該基準長さよりも長いペーパーＰは第２の露光モードで露光処理を行うように構成してもよい。こうすることで、誤差等によりペーパーＰが第１露光搬送速度のまま現像処理部Ｅに搬入されることを防止することができる。
【０１２５】
同様に、前期実施形態２では、露光位置Ｚからの下流側へのペーパーＰの搬送長さが搬送経路長Ｌ以下のときは第１の露光モードで、搬送長さが搬送経路長Ｌよりも長くなると第２の露光モードで露光処理を行うように構成しているが、誤差等を考慮して、ペーパーＰの該搬送長さが搬送経路長Ｌよりも短い所定の基準長さ（例えば、搬送台１１３の搬送方向長さ）となるまでは第１の露光モードで、該基準長さよりも長くなると第２の露光モードで露光処理を行うように構成してもよい。こうすることで、誤差等によりペーパーＰが第１露光搬送速度のまま現像処理部Ｅに搬入されることを防止することができる。
【０１２６】
また、前記実施形態１、２では、第１の露光モードは第２の露光モードよりも露光搬送速度が２倍となっているが、これに限られるものではない。つまり、第１露光搬送速度Ｖ１は、第２露光搬送速度Ｖ２よりも遅く又はさらに速くしてもよい。ただし、画像の圧縮や膨張を防止するためには副走査方向Ｘへの画像の形成速度を露光搬送速度に対応させる必要がある。そこで、第１露光搬送速度Ｖ１と第２露光搬送速度Ｖ２とは、ポリゴンミラー７８の使用するミラー面数を変更することで対応することができる関係であることが好ましい。そうすることによって、露光モードの変更に際してポリゴンミラー７８の回転速度等を変更する必要がないため、特別な方策をとらなくても、第１の露光モードと第２の露光モードとで画像の発色濃度を一定に保つことができる。
【産業上の利用可能性】
【０１２７】
以上説明したように、本発明における画像記録装置は、ペーパー長さ又は露光位置Ｚから下流側へのペーパーＰの搬送長さに基づいて露光搬送速度を変更して、処理能力の向上と適切な現像処理とを両立させることができるため、現像処理と露光処理とを同時に行う使用態様と露光処理が完了した後に現像処理が開始される使用態様とがある画像記録装置に特に有用である。
【図面の簡単な説明】
【０１２８】
【図１】実施形態１に係る画像記録装置を備えた写真処理システムの構成を示す部分断面図である。
【図２】露光エンジンのブロック図である。
【図３】図１のIII−III線における断面図である。
【図４】図１のIV−IV線における断面図である。
【図５】露光後搬送ユニットの振り分け動作説明図である。
【図６】画像記録装置のブロック構成図である。
【図７】クロック制御部及びクロック制御部に接続される回路を示すブロック図である。
【図８】実施形態１に係る画像記録装置の露光処理から現像処理までの動作を示すフローチャートである。
【図９】実施形態２に係る画像記録装置の露光処理から現像処理までの動作を示すフローチャートである。
【図１０】実施形態３に係る画像記録装置を備えた写真処理システムの構成を示す部分断面図である。
【図１１】ループの形成を示す説明図である。
【符号の説明】
【０１２９】
Ａ     画像記録装置
Ｃ     露光部
Ｅ     現像処理部
Ｐ     ペーパー（感光材料）
Ｖ１   第１露光搬送速度
Ｖ２   第２露光搬送速度
Ｘ     副走査方向
Ｙ     主走査方向
Ｚ     露光位置
７０Ｒ  レーザー光源（光源）
７０Ｇ  レーザー光源（光源）
７０Ｂ  レーザー光源（光源）
７８   ポリゴンミラー
９     露光搬送ローラ（露光搬送部）
１１   露光後搬送ユニット（振り分けユニット）
１５２ クロック制御部１５２（使用面数変更手段）
【図１】
2007133259.tif 000003
【図２】
2007133259.tif 000004
【図３】
2007133259.tif 000005
【図４】
2007133259.tif 000006
【図５】
2007133259.tif 000007
【図６】
2007133259.tif 000008
【図７】
2007133259.tif 000009
【図８】
2007133259.tif 000010
【図９】
2007133259.tif 000011
【図１０】
2007133259.tif 000012
【図１１】
2007133259.tif 000013